【事件の表示】
　特許第２６９６０２５号「読取りヘッド」の請求項１ないし４に係る特許に対する特許異議の申立てについて、次のとおり決定する。
【結論】
　訂正を認める。
　特許第２６９６０２５号の請求項３に係る特許を維持する。
【理由】
　１．手続きの経緯
　本件特許第２６９６０２５号発明は、平成３年１１月１８日に特許出願され、平成９年９月１２日にその特許権の設定登録がなされ、その後、鈴木徹より特許異議の申し立てがなされ、取消理由通知がなされ、その指定期間内である平成１０年１１月２６日に訂正請求がされ、その後、訂正拒絶理由通知がなされ、この訂正拒絶理由に対して手続補正書が提出され、その後更に、訂正拒絶理由通知がなされ、その訂正拒絶理由に対して平成１１年５月１８日付けの手続補正書が再度提出されたものである。
２．訂正の適否についての判断
　ア．平成１１年５月１８日付けの補正書により補正した訂正明細書の請求項１に係る発明は、その特許請求の範囲の請求項１に記載された次の事項により特定されるとおりのものである。
　「基板上に配列した媒体読取りのための光電変換用受光素子アレイと、
　一端を前記受光素子アレイに対向して配置された集束性ロッドレンズアレイと、
　前記集束性ロッドレンズアレイ側面近傍に、該集束性ロッドレンズアレイの他端より受光素子側であって該他端面と光の放出面をほぼ水平位置に配置した面発光型のＥＬ発光素子とを有し、
　前記面発光型のＥＬ発光素子は周囲を絶縁保護層に覆われ、該絶縁保護層の厚さをほぼ集束性ロッドレンズアレイの長さに等しくし、該集束性ロッドレンズアレイ側面に接着固定したことを特徴とする読取りヘッド。」
　イ．訂正の内容
　訂正の内容は、請求項１、請求項２、及び請求項４を削除し、請求項３の記載を前記項番号２．アに示されるように訂正し、請求項１とするものである。
　ウ．訂正の目的の適否、新規事項の有無及び拡張・変更の存否
　上記訂正は、特許請求の範囲の減縮に該当し、新規事項の追加に該当せず、実質的に特許請求の範囲を拡張又は変更するものではない。
　エ．独立特許要件の判断
　平成１０年１１月２６日付けの訂正請求書により訂正された訂正明細書の請求項１、２、及び４に係る発明に対して、当審が通知した訂正拒絶理由で引用した刊行物１（特開昭５９−３４７６０号公報）には、
　「熱電子発生源から放射される熱電子によって蛍光体を発光させる少なくとも１つの電子励起型蛍光光源装置と、該光源装置に隣接して設けられた光像伝達ファイバプレートと、該光ファイバプレートの光出口に隣接して設けられた等倍型多ビット光センサとを具備し、前記光源装置からの光で原稿面を照射し、該原稿面にて反射した光を前記光ファイバプレートを通して、前記光センサに導くように構成した光学像読取装置」（特許請求の範囲第１項）が記載されている。
　また、当審が通知した前記訂正拒絶理由で引用した刊行物２（特開昭５８−４６７６３号公報）には、
　「原稿を照明する光源と、原稿上の文字・画像等のコントラストを検出する検出装置と、該検出装置の原稿よりの反射光を導く導光系とを具備するイメージセンサユニットにおいて、光源にはスリットを有する遮光層をそれぞれ上面に設けたプラズマディスプレイパネル、分散形有機ＥＬ、薄膜ＥＬ等の面発光源および発光ダイオードアレイチップを線発光化するように透明プラスチックで蒲鉾形に一体化モールドしスリットの両側に配置した光源のうちの一つを用い、該光源により原稿を照明し、原稿よりの反射光を前記スリットを通し、さらに導光系により検出装置に導くようにしたことを特徴とするイメージセンサユニットの照明方式」（特許請求の範囲）が記載されている。
　（対比・判断）
平成１１年５月１８日付けの補正書により補正された訂正明細書の請求項１に係る発明（以下、「本件発明」という。）と上記刊行物１、２に記載された各発明とを対比すると、上記刊行物１、２に記載された各発明は、本件発明を特定する「集束性ロッドレンズアレイ側面近傍に、該集束性ロッドレンズアレイの他端より受光素子側であって該他端面と光の放出面をほぼ水平位置に配置した面発光型のＥＬ発光素子とを有し、前記面発光型のＥＬ発光素子は周囲を絶縁保護層に覆われ、該絶縁保護層の厚さをほぼ集束性ロッドレンズアレイの長さに等しくし、該集束性ロッドレンズアレイ側面に接着固定した」事項を備えておらず、当該事項により本件発明は、「原稿照明用の光源としてＥＬ発光素子を読取りヘッドに組み込むことにより、光源を読取り原稿に近接して配置することができるため、大きな光量を必要とせず、読取り点を均一な照度で照射できる」、「読取りヘッドをプラスチックカバーと透明ガラスによって覆い、小型で機密性の優れた読取りヘッドを提供することができ、機密性に優れた読み取りヘッドとしたので基板上のリード線、受光素子、アンプ等のワイヤボンデイング部やワイヤそのものの酸化腐食による劣化を防止し、長寿命の読み取りヘッドを提供することができる」、「集束性ロッドレンズアレイとＥＬ発光素子とを一体化することにより、一体化された集束性ロッドレンズアレイとＥＬ発光素子の取り扱いが容易となるとともにプラスチックカバー等の支持体に容易に取り付け可能となるため焦点あわせが容易となる」、そして「ＥＬ発光素子を、集束性ロッドレンズアレイの読取り原稿側端面より受光素子側であって、端面と集束性ロッドレンズアレイ側面に近接して配置したので、集束性ロッドレンズアレイと読み取り原稿を近接させることができるために、読み取り点の反射光を効率よく受光することができる」という顕著な効果を奏するものであり、本件発明が上記各行物に記載された発明に基づいて当業者が容易に発明をすることができたとはいえない。
　したがって、本件発明は特許出願の際独立して特許を受けることができない発明とすることはできない。
　オ．むすび
　以上のとおりであるから、上記訂正請求は、特許法第１２０条の４第２項及び同条第３項で準用する第１２６条の第２−４項の規定に適合するので、当該訂正を認める。
３．特許異議申立てについての判断
　ア．申立の理由の概要
　申立人鈴木徹は、請求項１乃至４に係る発明は、甲第１号証（特開昭５９−３４７６０号公報）及び甲第２号証（特開昭５８−４６７６３号公報）をもとに容易に発明をすることができたものであり、特許法第２９条第２項の規定により、特許を受けることができないものであるから、特許を取り消すべきと主張している。
　イ．判断
　本件発明は、前記２．エ（独立特許要件の判断）で示したように、上記各甲号証に記載された発明（取消理由通知で引用した前記刊行物１、２に記載された発明）に基づいて当業者が容易に発明をすることができたものとすることはできない。
　また、他に本件発明に係る特許を取り消すべき理由を発見しない。
　よって、結論のとおり決定する。
【異議決定日】
平成１１年６月１４日（１９９９．６．１４）
【訂正の要旨】
▲１▼明細書の【特許請求の範囲】の欄を次の通り訂正する。
　「【請求項１】基板上に配列した媒体読取りのための光電変換用受光素子アレイと、　一端を前記受光素子アレイに対向して配置された集束性ロッドレンズアレイと、　前記集束性ロッドレンズアレイ側面近傍に、該集束性ロッドレンズアレイの他端より受光素子側であって該他端面と光の放出面をほぼ水平位置に配置した面発光型のＥＬ発光素子とを有し、
　前記面発光型のＥＬ発光素子は周囲を絶縁保護層に覆われ、該絶縁保護層の厚さをほぼ集束性ロッドレンズアレイの長さに等しくし、該集束性ロッドレンズアレイ側面に接着固定したことを特徴とする読取りヘッド。」
▲２▼明細書の段落【０００５】を次の通り訂正する。
　「【０００５】
　【課題を解決するための手段】上記課題を解決するため、本発明の読取りヘッドは、基板上に配列した媒体読取りのための光電変換用受光素子アレイと、この受光素子アレイに対向して配置された集束性ロッドレンズアレイと、この集束性ロッドレンズアレイの読取り原稿側端面より受光素子側であって、端面と集束性ロッドレンズアレイ側面に近接して配置した面発光型のＥＬ発光素子とを有し、面発光型のＥＬ発光素子は周囲を絶縁保護層に覆われ、絶縁保護層の厚さをほぼ集束性ロッドレンズアレイの長さに等しくし、集束性ロッドレンズアレイ側面に接着固定した
構成とした。」
▲３▼明細書の段落【０００６】を次の通り訂正する。
　「【０００６】
　【作用】光源を薄型の連続した線状のＥＬ発光素子とし、読取り媒体上における集束性ロッドレンズの焦点すなわち読取り点の至近距離に前記薄型の光源を設置できるため、大きな光量を必要とせず、かつ読取り点を読取り幅方向に均一な照度で連続的に照射できるため、発熱が少なく、小型で気密性に優れた読取りヘッドを提供することができる。また、集束性ロッドレンズアレイを長さ方向に補強して固定できるので、集束性ロッドレンズアレイの取扱いが容易であり、集束性ロッドレンズアレイを折ったり傷付けることを防止することができる。」
▲４▼明細書の段落【００１４】を次の通り訂正する。
　「【００１４】以上説明した各実施例をさらに発展させた他の実施例を図６（ａ）（ｂ）（ｃ）を用いて説明する。これらの他の実施例はすべて、集束性ロッドレンズアレイやＥＬ発光素子を受光素子アレイに対し、より少ない調整で安定にかつ容易に支持固定部で固定し得るようにし、また集束性ロッドレンズアレイやＥＬ発光素子を一つの部品として融合化することにより、小型で、製造精度が精微でかつ取扱いが容易な読取りヘッドとしたものである。」
▲５▼明細書の段落【００１５】を次の通り訂正する。
　　「【００１５】図６（ａ）は、図５のように集束性ロッドレンズアレイ２０３をＥＬ発光素子の上面の絶縁保護層３０３ｃに固定するのではなく、ＥＬ発光素子の側面と集束性ロッドレンズアレイの側面とを接着固定したものである。したがって、ＥＬ発光素子の側面と集束性ロッドレンズアレイの側面とを接着固定して、それぞれ個別の部品であったＥＬ発光素子と集束性ロッドレンズアレイとを接合して一つの部品として取り扱えるので、小型で製造精度が精微でかつ取扱いが容易な読取り
ヘッドを提供することができる。」
▲６▼明細書の段落【００１６】を次の通り訂正する。
　「【００１６】図６（ｂ）は図６（ａ）に比べ、ＥＬ発光素子の絶縁保護層３０３ｃの厚さをほぼ集束性ロッドレンズアレイの長さに等しく構成したものである。これによって、集束性ロッドレンズアレイを長さ方向に補強して固定できるので、集束性ロッドレンズアレイの取扱いが容易であり、集束性ロッドレンズアレイを折ったり傷付けることを防止することができる。」
▲７▼明細書の段落【００１７】を次の通り訂正する。
　「【００１７】さらに、図６（ｃ）は図６（ｂ）に比べ、図４に示す第二実施例の構成を基本としたものであり、ＥＬ発光素子の透明絶縁保護層３０１の上面に集束性ロッドレンズアレイを接着固定するとともに絶縁保護層３０３ｃを図６（ｂ）と同様に厚く構成したものである。これによって、図６（ｂ）の実施例と同様に集束性ロッドレンズアレイを長さ方向に補強して固定できるので、集束性ロッドレンズアレイの取扱いが容易であり、集束性ロッドレンズアレイを折ったり傷付けることを防止することができるとともに、読取りヘッドを読取り媒体に密接することが可能となり、読取り媒体と光源であるＥＬ発光素子の距離が短くなるので媒体の読取り点での照度が図６（ｂ）の実施例よりも増大する。」
▲８▼明細書の段落【００１９】を次の通り訂正する。
　「【００１９】
　【発明の効果】以上説明したように、本発明では原稿照射用の光源としてＥＬ発光素子を読取りヘッドに組み込むことにより、光源を読取り原稿に近接して配置することができるため、大きな光量を必要とせず、読取り点を均一な照度で照射できるという効果がある。また、読取りヘッドをプラスチックカバーと透明ガラスによって覆い、小型で機密性の優れた読取りヘッドを提供することができ、機密性に優れた読み取りヘッドとしたので基板上のリード線、受光素子、アンプ等のワイヤボンディング部やワイヤそのものの酸化腐食による劣化を防止し、長寿命の読み取りヘッドを提供することができる。さらにまた、集束性ロッドレンズアレイとＥＬ発光素子を一体化することにより、一体化された集束性ロッドレンズアレイとＥＬ発光素子の取り扱いが容易となるとともにプラスチックカバー等の支持体に容易に取り付け可能となるため焦点あわせが容易となる。さらに、ＥＬ発光素子を、集束性ロッドレンズアレイの読取り原稿側端面より受光素子側であって、端面と集束性ロッドレンズアレイ側面に近接して配置したので、集束性ロッドレンズアレイと読み取り原稿を近接させることができるために、読み取り点の反射光を効率よく受光することができる。」
（５４）【発明の名称】
読取りヘッド
（５７）【特許請求の範囲】
【請求項１】　基板上に配列した媒体読取りのための光電変換用受光素子アレイと、
　一端を前記受光素子アレイに対向して配置された集束性ロッドレンズアレイと、前記集束性ロッドレンズアレイ側面近傍に、該集束性ロッドレンズアレイの他端より受光素子側であって該他端面と光の放出面をほぼ水平位置に配置した面発光型のＥＬ発光素子とを有し、
前記面発光型のＥＬ発光素子は周囲を絶縁保護層に覆われ、該絶縁保護層の厚さをほぼ集束性ロッドレンズアレイの長さに等しくし、該集束性ロッドレンズアレイ側面に接着固定したことを特徴とする読取りヘッド。
【発明の詳細な説明】
　【０００１】
　【産業上の利用分野】本発明は、ファクシミリや複写機等に用いる光デバイスに関し、とくに画像読取りの機能を備えた読取りヘッドに関する。
　【０００２】
　【従来の技術】従来、画像読み取りの機能を備えた読み取りヘッドの光源としては、蛍光灯やＬＥＤ（発光ダイオード）などが用いられてきた。図７（ａ）は光源として蛍光灯を用いた読み取りヘッドの構成を説明する図で、１１は読み取る原稿、１２は原稿照明用の蛍光灯、１３は集束性ロッドレンズアレイ（例えば日本板硝子株式会社製のセルフォックレンズ。セルフォックレンズは日本板硝子株式会社の登録商標）、１４は受光基板である。受光基板１４には基板１４ａとその上に直線状に配列形成された読取り受光素子１４ｂとが形成されている。受光基板１４にはこの他に受光素子１４ｂからの電気信号を伝達する薄膜パターン回路等を含むがここでは省略している。図７（ｂ）は光源としてＬＥＤを用いた読取りヘッドの構成を説明する図で、図７（ａ）とはその光源が相違するのでその光源について説明する。図中１５はＬＥＤランプアレイであり、ＬＥＤランプアレイ１５はＬＥＤ発光素子１５ａとシリンドリカルレンズ１５ｂから構成されている。
　【０００３】
　【発明が解決しようとする課題】近年、読取り媒体からイメージ・グラフ等の読取りが多くなり、かつ濃度階調で原稿読取りを必要とするため、センサーの濃度に対する読取り感度をリニアにすることが必要になってきた。また、読取りの高速化にともない、光源照度とセンサ感度の増大が必要となってきた。しかし、センサ自身の感度の増大は、逆に不安定な読取り要因をも増大することとなるため、照度の増大が先ず第一義として要求されている。
　【０００４】しかしながら、従来のＬＥＤランプアレイによる光源では、読取りライン上へ照度を均一にあてるためにシリンドリカルレンズ等を使用しているが、実装上光源と読取り媒体の距離が大きく、媒体面での照度が不足するという問題があった。また、蛍光灯による光源では、蛍光灯は小さなものでも直径６ｍｍ程度のものしかなく小型化が困難であるとともに、蛍光灯の発熱によって読取りヘッドが高温となり周囲の基板やカバー等を熱変形させたり、受光素子そのものの特性に変化を及ぼす欠点があった。
　【０００５】
　【課題を解決するための手段】上記課題を解決するため、本発明の読取りヘッドは、基板上に配列した媒体読取りのための光電変換用受光素子アレイと、この受光素子アレイに対向して配置された集束性ロッドレンズアレイと、この集束性ロッドレンズアレイの読取り原稿側端面より受光素子側であって、端面と集束性ロツドレンズアレイ側面に近接して配置した面発光型のＥＬ発光素子とを有し、面発光型のＥＬ発光素子は周囲を絶縁保護層に覆われ、絶縁保護層の厚さをほぼ集束性ロッドレンズアレイの長さに等しくし、集束性ロッドレンズアレイ側面に接着固定した構成とした。
　【０００６】
　【作用】光源を薄型の連続した線状のＥＬ発光素子とし、読取り媒体上における集束性ロッドレンズの焦点すなわち読取り点の至近距離に前記薄型の光源を設置できるため、大きな光量を必要とせず、かつ読取り点を読取り幅方向に均一な照度で連続的に照射できるため、発熱が少なく、小型で気密性に優れた読取りヘッドを提供することができる。また、集束性ロッドレンズアレイを長さ方向に補強して固定できるので、集束性ロッドレンズアレイの取扱いが容易であり、集束性ロッドレンズアレイを折ったり傷付けることを防止することができる。
　【０００７】
　【実施例】図１は本発明の読取りヘッドの要部斜視図である。１０１は読取りヘッドであり、プラスチックやガラスエポキシ基板などの合成樹脂等によって上面Ａおよび側面Ｂ．Ｃが囲まれている。上面Ａの基板上には受光素子アレイ１０２が複数個一列に配列してある。受光素子アレイ１０２の下部には集束性ロッドレンズアレイ１０３が配列してある。そして、読取りヘッド１０１の下面はガラスなどの透明部材１０４によって密閉されている。前記ガラス１０４の上部には固体発光素子であるＥＬ発光素子１０５が読取りヘッド１０１の長手方向に並行に二列配置されている。なお、読取りヘッド１０１は図示せぬ端子またはリード線によって読取りヘッド１０１の動作を制御する図示せぬ制御部へ電気的に接続されている。図２は、図１の読取りヘッド１０１をさらに詳しく説明するための図１のＤ−Ｄ矢視断面図である。図２において２０１は読取りヘッド１０１の上面部Ａに取り付けられた基板であり、ガラスエポキシ樹脂やセラミックで構成されている。基板２０１上には受光素子アレイ２０２が配置されている。受光素子アレイ２０２は、ワイヤボンディング２０８によって端子部２０７へ接続されている。受光素子アレイ２０２の下部には集束性ロツドレンズアレイ２０３が配置されており、集束性ロッドレンズアレイ２０３はプラスチックなどの合成樹脂によって形成される側面Ｂの支持枝Ｂｌによって支持固定されている。また、読取りヘッド１０１の下面部には透明ガラス２０４が配置されており、この透明ガラス２０４は原稿読取り時読取り原稿１に当接または近接するものである。そして、この透明ガラス２０４の上部には固体発光素子であるＥＬ発光素子２０５が形成されている。そして２０６はＥＬ発光体を保護する保護絶縁層である。
　【０００８】以上説明した読取りヘッドの動作について説明する。原稿読み取り時、図示せぬ駆動手段によって読取り原稿が搬送され、または読取りヘッドが原稿上に移動され原稿読取りが開始される。ＥＬ発光素子２０５が図示せぬ制御回路によって点灯すると、ＥＬ発光素子２０５がら発する光は透明ガラス２０４を透過し透明ガラス２０４に当接または近接する読取り原稿１を照射する。読取り原稿１に照射した光は反射光となって集束性ロッドレンズアレイ２０３を経由し、受光素子アレイ２０２へ到達する。受光素子アレイ２０２はこの到達光を検知して電気信号に変換し図示せぬ制御部へ電気信号を送出している。
　【０００９】次に、図２のＥＬ発光素子２０５の構造を詳しく説明するために、図３に図２のＥ−Ｅ矢視断面図を示して説明する。図３において、透明絶縁保護層３０１は読取りヘッド１０１が読取り原稿に当接する部分であり、図２の透明ガラス２０４に相当する。透明絶縁保護層３０１の上部には透明電極３０２が設けられており、透明電極３０２の上部には透明絶縁層３０３ａが設けられている。そして、透明絶縁層３０３ａの上部には発光体層３０４が形成されている。さらに、発光体層３０４は透明絶縁層３０３ｂによって覆われ、透明絶縁層３０３ｂの上部にはＡＬ電極３０５が蒸着されており、ＡＬ電極３０５は絶縁保護層３０３ｃによって絶縁保護されている。このように形成されたＥＬ発光素子２０５は、透明電極３０２とＡＬ電極３０５との間に駆動信号を与えれば、これらの電極で挟まれた発光体層３０４が発光する。この様にして発光された光が透明絶縁層３０３ａ、透明電極３０２および透明絶縁保護層３０１であるガラスを透過して読取り原槁１に到達する。
　【００１０】このように形成されたＥＬ発光素子を図２に示す読取りヘッドに組み込むことにより、光源を読取り原稿１に近接して配置することができるので、大きな光量を必要とせず、読取り点を均一な照度で照射できる読取りヘッドを提供することができるという効果がある。また、読取りヘッドをカバーと透明ガラスによって覆い、小型で機密性の優れた読取りヘッドを提供することができるので、基板上のリード線、受光素子、アンプ等のワイヤボンディング部やワイヤそのものの腐食劣化を防止した長寿命の読取りヘッドを提供することができるという効果もある。
　【００１１】次に図２を用いて説明した本発明の読取りヘッドを一部改良した種々の実施例について説明する。なおＥＬ発光素子の基本構成は第一実施例と同様なので詳しい説明は省略し、必要に応じ第一実施例と同符号を用いて説明する。まず第二実施例を図４を用いて説明する。図４に示した第二実施例は、図から分かるように図２に示した第一実施例とは次の点で相違する。第一実施例では、集束性ロッドレンズアレイ２０３がプラスチックなどの合成樹脂によって形成される側面Ｂの支持枝Ｂ１によって支持固定されているが、第二実施例では集束性ロッドレンズアレイ２０３を支持固定するためにＥＬ発光素子２０５を形成する部材である保護絶縁層３０３ｃ（図２の保護絶縁層２０６に相当する）をセルフォックレンズアレイ２０３の側面に接着固定するか、あるいは集束性ロッドレンズアレイ２０３の読取り原稿側端面を透明ガラス上に接着固定している。したがって、集束性ロッドレンズアレイ２０３を固定したＥＬ発光素子２０５をプラスチックなどの合成樹脂によって形成される側面Ｂに接着固定するだけで、無調整で焦点の設定ができる読取りヘッドを提供することができる。
　【００１２】図５は図２および図４で説明した本発明の読取りヘッドをさらに改良した第三実施例に関するものである。図５（ａ）は、この第三実施例の読取りヘッドを説明するための説明図であり、図に示すように集束性ロッドレンズアレイ２０３の原稿側端面が絶縁保護層３０３ｃの上面に接着固定されている。そして、ＥＬ発光素子２０５の左右の発光体層３０４をレンズの光軸を遮らない位置まで中心方向に接近させた読取りヘッドである。読取りヘッドをこのような構造としたので、読取り位置と光源がより近接するので媒体を照射する照射光量が第一、第二実施例の読取りヘッドに比べ格段に増加するという効果がある。
　【００１３】また、図５（ｂ）は上記第三実施例の読取りヘッドをさらに発展させたものであり、上記第三実施例の読取りヘッドと同様に集束性ロッドレンズアレイ２０３の原稿側端面が絶縁保護層３０３ｃの上面に接着固定されているとともに、集束性ロッドレンズアレイ２０３を第一実施例のようにプラスチックなどの合成樹脂によって形成される側面Ｂの支持枝Ｂ１に接着固定している。これにより、図５（ｂ）に示す実施例では図５（ａ）に示す第三実施例の読取りヘッドと同様の効果を奏するとともに、ＥＬ発光素子２０５は、支持枝Ｂｌに接着固定された集束性ロッドレンズアレイ２０３に接着固定されているので図５（ｂ）に示すＦ部の組み立て精度を高めなくともよく、Ｆ部に多少の隙間が存在していても基板上のリード線、受講素子、アンプ等のワイヤボンディング部は側面Ｂと支持枝Ｂｌによって密閉される構造となっている。
　【００１４】以上説明した各実施例をさらに発展させた他の実施例を図６（ａ）（ｂ）（ｃ）を用いて説明する。これらの他の実施例はすべて、集束性ロッドレンズアレイやＥＬ発光素子を受光素子アレイに対し、より少ない調整で安定にかつ容易に支持固定部で固定し得るようにし、また集束性ロッドレンズアレイやＥＬ発光素子を一つの部品として融合化することにより、小型で、製造精度が精微でかつ取扱いが容易な読取りヘッドとしたものである。
　【００１５】図６（ａ）は、図５のように集束性ロッドレンズアレイ２０３をＥＬ発光素子の上面の絶縁保護層３０３ｃに固定するのではなく、ＥＬ発光素子の側面と集束性ロッドレンズアレイの側面とを接着固定したものである。
したがって、ＥＬ発光素子の側面と集束性ロツドレンズアレイの側面とを接着固定して、それぞれ個別の部品であったＥＬ発光素子と集束性ロッドレンズアレイとを接合して一つの部品として取り扱えるので、小型で製造精度が精微でかつ取扱いが容易な読取りヘッドを提供することができる。
　【００１６】図６（ｂ）は図６（ａ）に比べ、ＥＬ発光素子の絶縁保護層３０３Ｃの厚さをほぼ集束性ロッドレンズアレイの長さに等しく構成したものである。これによって、集束性ロッドレンズアレイを長さ方向に補強して固定できるので、集束性ロッドレンズアレイの取扱いが容易であり、集束性ロッドレンズアレイを折ったり傷付けることを防止することができる。
　【００１７】さらに、図６（ｃ）は図６（ｂ）に比べ、図４に示す第二実施例の構成を基本としたものであり、ＥＬ発光素子の透明絶縁保護層３０１の上面に集束性ロッドレンズアレイを接着固定するとともに絶縁保護層３０３ｃを図６（ｂ）と同様に厚く構成したものである。これによって、図６（ｂ）の実施例と同様に集束性ロッドレンズアレイを長さ方向に補強して固定できるので、集束性ロッドレンズアレイの取扱いが容易であり、集束性ロッドレンズアレイを折ったり傷付けることを防止することができるとともに、読取りヘッドを読取り媒体に密接することが可能となり、読取り媒体と光源であるＥＬ発光素子の距離が短くなるので媒体の読取り点での照度が図６（ｂ）の実施例よりも増大する。
　【００１８】なお、本発明の各実施例の説明では、光源である固体発光素子をＥＬ発晃素子を用いて説明したが、薄型の発光素子ならばＥＬ発光素子に限らず、たとえばプラズマディスプレイ（ＰＤＰ）や螢光表示管（ＶＦＤ）等を使用しても良い。
　【００１９】
　【発明の効果】以上説明したように、本発明では原稿照明用の光源としてＥＬ発光素子を読取りヘッドに組み込むことにより、光源を読取り原稿に近接して配置することができるため、大ぎな光量を必要とせず、読取り点を均一な照度で照射できるという効果がある。また、読取りヘッドをプラスチックカバーと透明ガラスによって覆い、小型で機密性の優れた読取りへッドを提供することができ、機密性に優れた読み取りヘッドとしたので基板上のリード線、受光素子、アンプ等のワイヤボンディング部やワイヤそのものの酸化腐食による劣化を防止し、長寿命の読み取りヘッドを提供することができる。さらにまた、集束性ロッドレンズアレイとＥＬ発光素子を一体化することにより、一体化された集束性ロッドレンズアレイとＥＬ発光素子の取り扱いが容易となるとともにプラスチックカバー等の支持体に容易に取り付け可能となるため焦点あわせが容易となる。さらに、ＥＬ発光素子を、集束性ロッドレンズアレイの読取り原稿側端面より受光素子側であって、端面と集束性ロッドレンズアレイ側面に近接して配置したので、集束性ロッドレンズアレイと読み取り原稿を近接させることができるために、読み取り点の反射光を効率よく受光することができる。
【図面の簡単な説明】
【図１】本発明の読取りヘッドの第一実施例の要部斜視。
【図２】本発明の読取りヘッドの第一実施例の要部断面図。
【図３】本発明のＥＬ発光素子の断面図。
【図４】本発明の読取りヘッドの第二実施例の要部断面図。
【図５】本発明の読取りヘッドの第三実施例の要部断面図。
【図６】本発明の読取りヘッドの第四実施例の種々の変形例の要部断面図。
【図７】従来の読取りヘッド
【符号の説明】
１０１　　　本発明の読取りヘッド
１０２　　　受光素子アレイ
１０３　　　集束性ロッドレンズアレイ
１０５　　　ＥＬ発光素子
３０１　　　透明絶縁保護層
３０２　　　透明電極
３０３ａ　　透明絶縁層
３０３ｂ　　透明絶縁層
３０３ｃ　　透明絶縁層
３０４　　　発光体層
３０５　　　ＡＬ電極